(57)【特許請求の範囲】
【請求項１】
物体側より順に、第１レンズ群Ｇ１、絞り、及び第２レンズ群Ｇ２とからなり、
前記第１レンズ群Ｇ１は、物体側より順にレンズ群Ｇ１Ｆと、レンズ群Ｇ１Ｒとで構成され、
前記第２レンズ群Ｇ２は、物体側より順に負の屈折力を有するレンズ群Ｇ２Ｆと、レンズ群Ｇ２Ｒとで構成され、
前記レンズ群Ｇ１Ｆは、複数の負の屈折力を有するレンズで構成され、
前記レンズ群Ｇ１Ｒは、１枚の正の屈折力を有するレンズで構成され、
前記レンズ群Ｇ２Ｆは、物体側より順に両凹レンズと両凸レンズとの接合レンズで構成され、
前記レンズ群Ｇ２Ｒは、１枚の少なくとも１つの面が非球面の正レンズで構成され、
かつ、次の条件式を満足することを特徴とする広角レンズ。
０．４０＜φＧ２Ｒ／φ＜１．００ ・・・・・（１）
但し、φＧ２Ｒはレンズ群Ｇ２Ｒの屈折力、φは全系の屈折力を示す。
【請求項２】
物体側より順に、第１レンズ群Ｇ１、絞り、及び第２レンズ群Ｇ２とからなり、
前記第１レンズ群Ｇ１は、物体側より順にレンズ群Ｇ１Ｆと、レンズ群Ｇ１Ｒとで構成され、
前記第２レンズ群Ｇ２は、物体側より順にレンズ群Ｇ２Ｆと、レンズ群Ｇ２Ｒとで構成され、
前記レンズ群Ｇ１Ｆは、複数の負の屈折力を有するレンズで構成され、
前記レンズ群Ｇ１Ｒは、１枚の正の屈折力を有するレンズで構成され、
前記レンズ群Ｇ２Ｆは、物体側より順に両凹レンズと両凸レンズとの接合レンズで構成され、
前記レンズ群Ｇ２Ｒは、１枚の正レンズで構成され、
かつ、次の条件式を満足することを特徴とする広角レンズ。
０＜ｆＧ１／ｆ＜６．２ ・・・・・（２）
−０．８５＜φＧ１Ｆ／φ＜０ ・・・・・（３）
０＜ｆＧ２／ｆ＜２．１ ・・・・・（４）
但し、ｆＧ１は第１レンズ群Ｇ１の焦点距離、ｆＧ２は第２レンズ群Ｇ２の焦点距離、ｆは全系の焦点距離、φＧ１Ｆはレンズ群Ｇ１Ｆの屈折力、φは全系の屈折力を示す。
【請求項３】
前記レンズ群Ｇ１Ｆは、２枚または３枚の負の屈折力を有するレンズにより構成されていることを特徴とする請求項１又は２に記載の広角レンズ。
【請求項４】
前記レンズ群Ｇ１Ｆは、複数の物体側に凸面を向けた負の屈折力を有するメニスカスレンズにより構成されていることを特徴とする請求項１乃至３の何れかに記載の広角レンズ。
【請求項５】
前記レンズ群Ｇ１Ｒは像側に凸面を向けたメニスカス正レンズ又は平凸正レンズであることを特徴とする請求項１又は２の何れかに記載の広角レンズ。
【請求項６】
遠距離物点から近距離物点へのフォーカシングを、前記レンズ群Ｇ１Ｆと前記レンズ群Ｇ１Ｒとの間隔を変化させることによって行なうようにしたことを特徴とする請求項１又は２の何れかに記載の広角レンズ。
【請求項７】
前記レンズ群Ｇ１Ｒは、物体側に凸面を向けたメニスカス正レンズ又は凸平正レンズであることを特徴とする請求項１又は２に記載の広角レンズ。
【請求項８】
遠距離物点から近距離物点へのフォーカシングを、前記レンズ群Ｇ１Ｆのみを物体側へ移動することを特徴とする請求項６に記載の広角レンズ。
【請求項９】
遠距離物点から近距離物点へのフォーカシングを、前記レンズ群Ｇ１Ｒのみを像側へ移動することによって行なうことを特徴とする請求項６に記載の広角レンズ。
【請求項１０】
少なくとも１つの面を、レンズの屈折力が中心から周辺へ行くにしたがって弱くなるような非球面形状で構成したことを特徴とする請求項１乃至９の何れかに記載の広角レンズ。
【請求項１１】
前記レンズ群Ｇ１Ｆ中の少なくとも１つの面を非球面で構成したことを特徴とする請求項１０に記載の広角レンズ。
【請求項１２】
前記レンズ群Ｇ１Ｆ中の少なくとも１つの面を非球面で構成すると同時に、前記レンズ群Ｇ２Ｒ中の少なくとも１つの面を非球面で構成したことを特徴とする請求項１０に記載の広角レンズ。
【請求項１３】
前記第１レンズ群Ｇ１と前記レンズ群Ｇ２Ｒにおけるレンズは、すべて独立した単レンズであることを特徴とする請求項１乃至１２の何れかに記載の広角レンズ。
【発明の詳細な説明】
【０００１】
【発明の属する技術分野】
本発明は広角レンズに関し、特に射出瞳が遠い広角撮影レンズに関する。
【０００２】
【従来の技術】
一般に広い画角を有する撮影レンズは、焦点距離が小さいためバックフォーカスが短くなってしまう。
長いバックフォーカスを得るために、物体側に負レンズ群を配置した、所謂レトロフォーカスタイプのレンズが数多く知られている。また、小型化・軽量化のため少ないレンズ枚数で良好な性能が得られるような構成が求められている。
このような、長いバックフォーカスをもちながら、少ないレンズ枚数で構成した広い画角を有する撮影レンズの従来例として、特開平４−６８３０７号公報（実施例１，２，３，４）、特開平５−２６４８９７号公報、米国特許第４４１２７２６号公報（ｔａｂｌｅ２，４）に記載のものが知られている。
【０００３】
【発明が解決しようとする課題】
しかしながら、これらレトロフォーカスタイプのレンズ系は、一般に負の大きな歪曲収差を発生しがちであり、上記いずれの従来例においても、歪曲収差が十分に補正されていないという問題点があった。
一般に、レトロフォーカスタイプのレンズ系が発生させる歪曲収差は、レンズ系の画角が広くなるほど大きく発生しやすい。上記従来例に開示されたレンズ系はいずれも絶対値で１４パーセント以上の負の歪曲収差を発生させている。
本発明は上記の従来技術の問題点に鑑みてなされたものであり、その目的は、長いバックフォーカスを得るとともに歪曲収差をはじめとする諸収差が良好に補正された広角レンズを提供することである。
【０００５】
【課題を解決するための手段】
上記目的を達成するために、請求項１に記載の本発明の広角レンズは、物体側より順に、第１レンズ群Ｇ１、絞り、及び第２レンズ群Ｇ２とからなり、前記第１レンズ群Ｇ１は、物体側より順にレンズ群Ｇ１Ｆと、レンズ群Ｇ１Ｒとで構成され、前記第２レンズ群Ｇ２は、物体側より順に負の屈折力を有するレンズ群Ｇ２Ｆと、レンズ群Ｇ２Ｒとで構成され、前記レンズ群Ｇ１Ｆは、複数の負の屈折力を有するレンズで構成され、前記レンズ群Ｇ１Ｒは、１枚の正の屈折力を有するレンズで構成され、前記レンズ群Ｇ２Ｆは、物体側より順に両凹レンズと両凸レンズとの接合レンズで構成され、前記レンズ群Ｇ２Ｒは、１枚の少なくとも１つの面が非球面の正レンズで構成され、かつ、次の条件式を満足することを特徴とする。
０．４０＜φＧ２Ｒ／φ＜１．００              ・・・・・（１）
但し、φＧ２Ｒはレンズ群Ｇ２Ｒの屈折力、φは全系の屈折力を示す。
なお、前記レンズ群Ｇ１Ｆを構成する負レンズは負の単レンズでも接合負レンズでもよい。また前記レンズ群Ｇ１Ｒ，Ｇ２Ｒを構成する正レンズは正の単レンズでも接合正レンズでもよい。
【０００６】
また、請求項２に記載の本発明の広角レンズは、物体側より順に、第１レンズ群Ｇ１、絞り、及び第２レンズ群Ｇ２とからなり、前記第１レンズ群Ｇ１は、物体側より順にレンズ群Ｇ１Ｆと、レンズ群Ｇ１Ｒとで構成され、前記第２レンズ群Ｇ２は、物体側より順にレンズ群Ｇ２Ｆと、レンズ群Ｇ２Ｒとで構成され、前記レンズ群Ｇ１Ｆは、複数の負の屈折力を有するレンズで構成され、前記レンズ群Ｇ１Ｒは、１枚の正の屈折力を有するレンズで構成され、前記レンズ群Ｇ２Ｆは、物体側より順に両凹レンズと両凸レンズとの接合レンズで構成され、前記レンズ群Ｇ２Ｒは、１枚の正レンズで構成され、かつ、次の条件式を満足することを特徴とする。
０＜ｆＧ１／ｆ＜６．２                        ・・・・・（２）
−０．８５＜φＧ１Ｆ／φ＜０ ・・・・・（３）
０＜ｆＧ２／ｆ＜２．１ ・・・・・（４）
但し、ｆＧ１は第１レンズ群Ｇ１の焦点距離、ｆＧ２は第２レンズ群Ｇ２の焦点距離、ｆは全系の焦点距離、φＧ１Ｆはレンズ群Ｇ１Ｆの屈折力、φは全系の屈折力を示す。
なお、前記レンズ群Ｇ１Ｆを構成する負レンズは負の単レンズでも接合負レンズでもよい。また前記レンズ群Ｇ１Ｒ，Ｇ２Ｒを構成する正レンズは正の単レンズでも接合正レンズでもよい。
【０００７】
また、請求項３に記載の本発明の広角レンズは、前記レンズ群Ｇ１Ｆは、２枚または３枚の負の屈折力を有するレンズにより構成されていることを特徴とする。
また、請求項４に記載の本発明の広角レンズは、前記レンズ群Ｇ１Ｆは、複数の物体側に凸面を向けた負の屈折力を有するメニスカスレンズで構成されていることを特徴とする。
また、請求項５に記載の本発明の広角レンズは、前記レンズ群Ｇ１Ｒは像側に凸面を向けたメニスカス正レンズ又は平凸正レンズであることを特徴とする。
また、請求項６に記載の本発明の広角レンズは、遠距離物点から近距離物点へのフォーカシングを、前記レンズ群Ｇ１Ｆと前記レンズ群Ｇ１Ｒとの間隔を変化させることによって行なうようにしたことを特徴とする。
また、請求項７に記載の本発明の広角レンズは、前記レンズ群Ｇ１Ｒは、物体側に凸面を向けたメニスカス正レンズ又は凸平正レンズであることを特徴とする。
また、請求項８に記載の本発明の広角レンズは、遠距離物点から近距離物点へのフォーカシングを、前記レンズ群Ｇ１Ｆのみを物体側へ移動することによって行なうことを特徴とする。
また、請求項９に記載の本発明の広角レンズは、遠距離物点から近距離物点へのフォーカシングを、前記レンズ群Ｇ１Ｒのみを像側へ移動することによって行なうことを特徴とする。
また、請求項１０に記載の本発明の広角レンズは、少なくとも１つの面を、レンズの屈折力が中心から周辺へ行くにしたがって弱くなるような非球面形状で構成したことを特徴とする。
また、請求項１１に記載の本発明の広角レンズは、前記レンズ群Ｇ１Ｆ中の少なくとも１つの面を非球面で構成したことを特徴とする。
また、請求項１２に記載の本発明の広角レンズは、前記レンズ群Ｇ１Ｆ中の少なくとも１つの面を非球面で構成すると同時に、前記レンズ群Ｇ２Ｒ中の少なくとも１つの面を非球面で構成したことを特徴とする。
更に、請求項１３に記載の本発明の広角レンズは、前記第１レンズ群Ｇ１と前記レンズ群Ｇ２Ｒにおけるレンズは、すべて独立した単レンズであることを特徴とする。
【０００８】
【発明の実施の形態】
実施例の説明に先立ち、本発明の作用効果について説明する。
第１レンズ群Ｇ１の最も物体側に負の屈折力を有するレンズからなるレンズ群Ｇ１Ｆを配置し、レンズ群Ｇ１Ｆの像側に正の屈折力を有するレンズからなるレンズ群Ｇ１Ｒを配置することにより、主点位置を後方へシフトし、広角化および長いバックフォーカスを得るのに有利な構成になる。また、レンズ群Ｇ１Ｆを複数の負の屈折力のレンズで構成することで、負の屈折力を持つレンズ１枚あたりの収差補正にかかる負担を軽減し、より効果的に諸収差、特に歪曲収差、コマ収差を補正することができる。
レンズ群Ｇ２Ｆを両凹レンズと両凸レンズとの接合レンズで構成することにより、倍率の色収差を効果的に補正することができる。また、両凹レンズと両凸レンズとを接合することにより偏心による性能劣化を小さく抑えることができる。
また、レンズ群Ｇ２Ｆに負の屈折力を持たせることにより、光線を高く導き、広画角化および長いバックフォーカスに対応させることができるとともに、正レンズで構成されるレンズ群Ｇ２Ｒとの組合せにより、射出瞳位置を像面から物体側へ引き離し、像面に入射する光線とレンズ系光軸とのなす角をちいさくするように作用させることができる。
【０００９】
全系の屈折力φに対するレンズ群Ｇ２Ｒの屈折力φＧ２Ｒの割合φＧ２Ｒ／φが、条件式(1) の下限を超えて小さくなると、レンズ群Ｇ２Ｒの屈折力が弱くなりすぎ、広画角化および長いバックフォーカスに対応できなくなるとともに、射出瞳位置を像面から十分に遠ざけることができなくなる。他方、条件式(1) の上限を超えて大きくなると、レンズ群Ｇ２Ｒの屈折力が強くなりすぎ、軸外諸収差、特に像面の湾曲が大きくなってしまい好ましくない。
【００１０】
全系の焦点距離ｆに対する第１レンズ群Ｇ１の焦点距離ｆＧ１の割合ｆＧ１／ｆが条件式(2) の下限を超えて小さくなると、第１レンズ群Ｇ１が負の屈折力を持ち、全長が長くなってしまう。他方、条件式(2) の上限を超えて大きくなると、第１レンズ群Ｇ１の屈折力が強くなりすぎ、諸収差、特に歪曲収差、コマ収差等の軸外収差の悪化を招く。
【００１１】
全系の屈折力φに対するレンズ群Ｇ１Ｆの屈折力φＧ１Ｆの割合φＧ１Ｆ／φが、条件式(3) の下限を超えて小さくなると、レンズ群Ｇ１Ｆの負の屈折力が弱くなり、光線を十分高く導くことができなくなるため、長いバックフォーカスを得ることができなくなる。他方、条件式(3) の上限を超えて大きくなると、レンズ群Ｇ１Ｆの屈折力が正となり、光線を跳ね上げること自体が不可能となる。
また、全系の焦点距離ｆに対する第２レンズ群Ｇ２の焦点距離ｆＧ２の割合ｆＧ２／ｆが条件式(4) の下限を超えて小さくなると、第２レンズ群Ｇ２の焦点距離が負になるため、長いバックフォーカスを得ることができなくなる。他方、条件式(4) の上限を超えて大きくなると、Ｇ２の屈折力が弱くなりすぎるため、レンズ全長の増大を招く。
【００１２】
なお、コスト削減及びレンズ系の軽量化・コンパクト化のためには、レンズ系を構成するレンズの枚数は、一般的に少ないほうが好ましい。
特に、本発明のように広い画角のレンズ系においては、最も物体側に配置されるレンズ群Ｇ１Ｆの外径が大きくなりやすい。
以上の理由から、本発明のレンズ系においては、レンズ群Ｇ１Ｆは２枚または３枚の負の屈折力を有するレンズにより構成することが望ましい。
【００１３】
また、レンズ群Ｇ１Ｆを構成する複数の負の屈折力を有するレンズを、物体側に凸面を向けたメニスカス形状のレンズにすることで、さらに諸収差を良好に補正することができるようになる。
本発明のように、広い画角を有するレトロフォーカスタイプのレンズ系では、最も物体側に配置されたレンズへの入射時点において、軸上光束と軸外光束とが乖離している。そのため、軸外諸収差、特に歪曲収差やコマ収差の補正に関しては、最も物体側に配置されたレンズ群Ｇ１Ｆを構成する各レンズ面が、各光束の入射画角に合わせて、物体側に凸面を向けていることが望ましい。
【００１４】
また、レンズ群Ｇ１Ｒを、像側に凸面を向けたメニスカスまたは一方の面が平面の凸平正レンズ、とすれば、両面とも凸面のレンズである場合と比較してレンズ群Ｇ１Ｒの主点位置をより像側へシフトすることができるので、レンズ全長の小型化により有利である。
また、レンズ群Ｇ１Ｒを、物体側に凸面を向けたメニスカスレンズまたは一方の面が平面の平凸正レンズとすることで、両面とも凸面のレンズである場合と比較して軸外収差、特に高次のコマ収差の発生をより小さくすることができる。
【００１５】
ところで、このような広角レンズにおいて遠距離物点から近距離物点へのフォーカシングを行う場合、レンズ系全体を一体的に物体側へ近づける、所謂全体繰り出し方式が一般的であるが、近距離まで良好な性能を維持するためには、そのような全体繰り出し方式では、フォーカシングに伴う収差の変動、特に像面湾曲、非点収差の変動が大きくなってしまう。
そこで、本発明の広角レンズにおいては、フォーカシングの際に前記レンズ群Ｇ１Ｆと前記レンズ群Ｇ１Ｒとの間隔を変化させるように構成することによって、上記のような像面湾曲、非点収差の変動を小さく抑えることができるとともに、負の屈折力を有するレンズで構成されたレンズ群Ｇ１Ｆとレンズ群Ｇ１Ｒとの間の、光線がアフォーカルではない空気間隔を変化させてフォーカシングを行うことによって、フォーカシングの際のレンズ群の移動量を小さくすることが可能になる。
【００１６】
この場合、フォーカシングの際の移動レンズを前記レンズ群Ｇ１Ｆのみにすれば、レンズ群Ｇ１Ｆとレンズ群Ｇ１Ｒとの間隔を変えつつ移動群を軽くすることができ、駆動系への負担を小さくすることができる。
【００１７】
フォーカシングの際の移動レンズを前記レンズ群Ｇ１Ｒのみにすれば、レンズ群Ｇ１Ｆとレンズ群Ｇ１Ｒとの間隔を変えつつ移動群を軽くすることができ、しかも、絞りに近いレンズ群Ｇ１Ｒは、レンズ外径が小さくできるためレンズ重量も小さく抑えることができ、駆動系への負担をより小さくすることができる。
【００１８】
また、本発明のように、物体側に負の屈折力を有するレンズ群を配置したレンズ系の場合、負の大きな歪曲収差を発生するが、この負の歪曲収差をより小さく抑えるためには、非球面を使用するレンズの屈折力が、中心から周辺へ行くにしたがって弱くなるような形状の非球面を利用するとよい。
そこで、本発明のレンズ系においては、少なくとも１つの面を、レンズの屈折力が中心から周辺へ行くにしたがって弱くなるような非球面形状で構成する。
【００１９】
この場合、軸上光線と軸外光線とが乖離するレンズ群Ｇ２Ｒ中の少なくとも一つの面または、軸上光線と軸外光線とが乖離するレンズ群Ｇ１Ｆ中の少なくとも一つの面を非球面で構成すると、歪曲収差のような軸外収差を補正するのにより効果的になる。
また、軸上光線と軸外光線とが乖離するレンズ群Ｇ１ＦおよびＧ２Ｒのいずれにも少なくとも一つの面を非球面で構成すると、歪曲収差のような軸外収差を補正するのにより効果的であると同時に、非球面をレンズ群Ｇ１Ｆとレンズ群Ｇ２Ｒの両群で使用することにより、各非球面への負担を小さくすることができる。
【００２０】
以下、実施例に基づき本発明を詳細に説明する。
第１実施例
図１は本発明による広角レンズの第１実施例のレンズ構成を示す光軸に沿う断面図であり、（ａ）は物体距離が∞、（ｂ）は物体距離が２０ｃｍ、（ｃ）は物体距離が１０ｃｍの状態を示す図である。図２は図１（ａ）に示す本実施例の広角レンズの球面収差、非点収差、歪曲収差、倍率色収差、及びコマ収差を示す図である。図３は図１（ｂ）に示す本施例の広角レンズの球面収差、非点収差、歪曲収差、倍率色収差、及びコマ収差を示す図である。図４は図１（ｃ）に示す本施例の広角レンズの球面収差、非点収差、歪曲収差、倍率色収差、及びコマ収差を示す図である。
【００２１】
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、物体側に凸面を向けた１枚の凸平正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
また、本実施例では条件式(1) 〜(4) を総て満たしている。
また、遠距離物点から近距離物点へのフォーカシングを、レンズ群Ｇ１Ｆのみを物体側へ移動させて、レンズ群Ｇ１Ｆとレンズ群Ｇ１Ｒとの間隔を変化させることによって行うように構成されている。
また、本実施例は上記フォーカシングを、物体側への全体繰り出し（第１レンズ群Ｇ１、絞りＳ、第２レンズ群Ｇ２の全体を移動させる）によって行うこともできる。
また、レンズ群Ｇ１Ｆ、レンズ群Ｇ２Ｒは、それぞれ一つの面が非球面で構成されており、屈折力が中心から周辺へ行くにしたがって弱くなっている。
なお、図中、Ｌ１は光学的ローパスフィルタ、Ｌ２は赤外カットフィルタ、Ｌ３はＣＣＤのカバーガラス、Ｉは像面を示している。
【００２２】
次に、本実施例にかかる広角レンズの数値データを示す。本実施例の数値データにおいて、ｒ1 、ｒ2 、・・・は各レンズ面の曲率半径、ｄ1 、ｄ2 、・・・は各レンズの肉厚または空気間隔、ｎ1 、ｎ2 、・・・は各レンズのｄ線での屈折率、ν1 、ν2 、・・・は各レンズのアッベ数である。また、ｋは円錐係数、ＡＣ2 、ＡＣ4 、ＡＣ6 、ＡＣ8 、ＡＣ10は非球面係数、ｆは焦点距離、ＦはＦナンバー、２ωは画角である。なお、これらの記号は後述の各実施例の数値データにおいても共通である。また、非球面形状は、光軸上の光の進行方向をＺ軸、光軸と直交する方向をＹ軸としたとき、下記の式により与えられる。
Ｚ＝（Ｙ2 ／ｒ）／〔１＋｛１−（１＋ｋ）・（Ｙ／ｒ）2 ｝1/2 〕＋ＡＣ2 Ｙ2 ＋ＡＣ4 Ｙ4 ＋ＡＣ6 Ｙ6 ＋ＡＣ8 Ｙ8 ＋ＡＣ10Ｙ10
【００２３】
0004083924.tif 000002
0004083924.tif 000003
【００２４】
0004083924.tif 000004
【００２５】
第２実施例
図５は本発明による広角レンズの第２実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、両面とも凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００２６】
次に、本実施例にかかる広角レンズの数値データを示す。
0004083924.tif 000005
0004083924.tif 000006
【００２７】
0004083924.tif 000007
【００２８】
第３実施例
図６は本発明による広角レンズの第３実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、両面とも凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００２９】
次に、本実施例にかかる広角レンズの数値データを示す。
0004083924.tif 000008
0004083924.tif 000009
【００３０】
0004083924.tif 000010
【００３１】
第４実施例
図７は本発明による広角レンズの第４実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、物体側に凸面を向けた１枚の凸平正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００３２】
次に、本実施例にかかる広角レンズの数値データを示す。
0004083924.tif 000011
0004083924.tif 000012
【００３３】
0004083924.tif 000013
【００３４】
第５実施例
図８は本発明による広角レンズの第５実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負の屈折力を有する２枚のメニスカスレンズで構成されている。
レンズ群Ｇ１Ｒは、物体側に凸面を向けた１枚のメニスカス正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆを構成する複数のメニスカスレンズ、レンズ群Ｇ２Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００３５】
次に、本実施例にかかる広角レンズの数値データを示す。
0004083924.tif 000014
0004083924.tif 000015
【００３６】
0004083924.tif 000016
【００３７】
第６実施例
図９は本発明による広角レンズの第６実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に正の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(2) 〜(4) を満たしているが、条件式(1) は満たしていない。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００３８】
次に、本実施例にかかる広角レンズの数値データを示す。
0004083924.tif 000017
0004083924.tif 000018
【００３９】
0004083924.tif 000019
【００４０】
第７実施例
図１０は本発明による広角レンズの第７実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００４１】
次に、本実施例にかかる広角レンズの数値データを示す。
0004083924.tif 000020
0004083924.tif 000021
【００４２】
0004083924.tif 000022
【００４３】
第８実施例
図１１は本発明による広角レンズの第８実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に正の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) ，(3) ，(4) を満たしているが、条件式(2) は満たしていない。
また、レンズ群Ｇ２Ｒは、一つの面が非球面で構成されているが、レンズ群Ｇ１Ｆは、いずれの面も非球面形状にはなっていない。
なお、図中、Ｌ１は光学的ローパスフィルタ、Ｌ２は赤外カットフィルタ、Ｌ３はＣＣＤのカバーガラス、Ｉは像面を示している。
【００４４】
次に、本実施例にかかる広角レンズの数値データを示す。
0004083924.tif 000023
0004083924.tif 000024
【００４５】
0004083924.tif 000025
【００４６】
第９実施例
図１２は本発明による広角レンズの第９実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) を総て満たしている。
また、レンズ群Ｇ１Ｒ、レンズ群Ｇ２Ｒは、それぞれ一つの面が非球面で構成されているが、レンズ群Ｇ１Ｆは、いずれの面も非球面形状にはなっていない。
なお、図中、Ｌ１は光学的ローパスフィルタ、Ｌ２は赤外カットフィルタ、Ｌ３はＣＣＤのカバーガラス、Ｉは像面を示している。
【００４７】
次に、本実施例にかかる広角レンズの数値データを示す。
0004083924.tif 000026
0004083924.tif 000027
【００４８】
0004083924.tif 000028
【００４９】
第１０実施例
図１３は本発明による広角レンズの第１０実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) ，(3) ，(4) を満たしているが、条件式(2) は満たしていない。
また、遠距離物点から近距離物点へのフォーカシングを、レンズ群Ｇ１Ｒを像側へ移動させて、レンズ群Ｇ１Ｆとレンズ群Ｇ１Ｒとの間隔及びレンズ群Ｇ１Ｒとレンズ群Ｇ２Ｆとの間隔を変化させることによって行うように構成されている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００５０】
次に、本実施例にかかる広角レンズの数値データを示す。
0004083924.tif 000029
0004083924.tif 000030
【００５１】
0004083924.tif 000031
【００５２】
第１１実施例
図１４は本発明による広角レンズの第１１実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、像側に凸面を向けた１枚の平凸正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) ，(3) ，(4) を満たしているが、条件式(2) は満たしていない。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００５３】
次に、本実施例にかかる広角レンズの数値データを示す。
0004083924.tif 000032
0004083924.tif 000033
【００５４】
0004083924.tif 000034
【００５５】
第１２実施例
図１５は本発明による広角レンズの第１２実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた３枚の負の屈折力を有するレンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) の総てを満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００５６】
次に、本実施例にかかる広角レンズの数値データを示す。
0004083924.tif 000035
0004083924.tif 000036
【００５７】
0004083924.tif 000037
【００５８】
第１３実施例
図１６は本発明による広角レンズの第１３実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負レンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) の総てを満たしている。
また、遠距離物点から近距離物点へのフォーカシングを、レンズ群Ｇ１Ｆを物体側へ移動させると共にレンズ群Ｇ１Ｒを像側へ移動させて、レンズ群Ｇ１Ｆとレンズ群Ｇ１Ｒとの間隔及びレンズ群Ｇ１Ｒとレンズ群Ｇ２Ｆとの間隔を変化させることによって行うように構成されている。
また、本実施例は上記フォーカシングを、物体側への全体繰り出し（第１レンズ群Ｇ１、絞りＳ、第２レンズ群Ｇ２の全体を移動させる）によって行うこともできる。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００５９】
次に、本実施例にかかる広角レンズの数値データを示す。
0004083924.tif 000038
0004083924.tif 000039
【００６０】
0004083924.tif 000040
【００６１】
第１４実施例
図１７は本発明による広角レンズの第１４実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた負レンズで構成されている。
レンズ群Ｇ１Ｒは、両面が凸面の１枚の正の屈折力を有するレンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) の総てを満たしている。
また、遠距離物点から近距離物点へのフォーカシングを、レンズ群Ｇ１Ｆのみを物体側へ移動させて、レンズ群Ｇ１Ｆとレンズ群Ｇ１Ｒとの間隔を変化させることによって行うように構成されている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００６２】
次に、本実施例にかかる広角レンズの数値データを示す。
0004083924.tif 000041
0004083924.tif 000042
【００６３】
0004083924.tif 000043
【００６４】
第１５実施例
図１８は本発明による広角レンズの第１５実施例のレンズ構成を示す光軸に沿う断面図である。
本実施例の広角レンズは、物体側より順に、第１レンズ群Ｇ１、絞りＳ、及び第２レンズ群Ｇ２を有している。
第１レンズ群Ｇ１は、物体側より順にレンズ群Ｇ１Ｆと、レンズ群Ｇ１Ｒとで構成されている。
第２レンズ群Ｇ２は、物体側より順に負の屈折力を有するレンズ群Ｇ２Ｆと、レンズ群Ｇ２Ｒとで構成されている。
レンズ群Ｇ１Ｆは、物体側に凸面を向けた２枚の負の屈折力を有するレンズで構成されている。
レンズ群Ｇ１Ｒは、像側に凸面を向けたメニスカス正レンズで構成されている。
レンズ群Ｇ２Ｆは、物体側より順に両凹レンズと両凸レンズとの接合レンズで構成されている。
レンズ群Ｇ２Ｒは、１枚の正レンズで構成されている。
本実施例では条件式(1) 〜(4) の総てを満たしている。
また、レンズ群Ｇ１Ｆ、レンズ群Ｇ２Ｒは、それぞれ一つの面が非球面で構成されている。
なお、図中、Ｌ１は光学的ローパスフィルタ、Ｌ２は赤外カットフィルタ、Ｌ３はＣＣＤのカバーガラス、Ｉは像面を示している。
【００６５】
次に、本実施例にかかる広角レンズの数値データを示す。
0004083924.tif 000044
0004083924.tif 000045
【００６６】
0004083924.tif 000046
【００６７】
以上説明したように、本発明による広角レンズは、特許請求の範囲に記載された特徴のほかに下記に示すような特徴も備えている。
【００８１】
（１）物体側より順に、第１レンズ群Ｇ１、絞り、及び第２レンズ群Ｇ２とからなり、
前記第１レンズ群Ｇ１は、物体側より順にレンズ群Ｇ１Ｆと、レンズ群Ｇ１Ｒとで構成され、
前記第２レンズ群Ｇ２は、物体側より順に負の屈折力を有するレンズ群Ｇ２Ｆと、レンズ群Ｇ２Ｒとで構成され、
前記レンズ群Ｇ１Ｆは、複数の負の屈折力を有するレンズ、または接合負レンズで構成され、
前記レンズ群Ｇ１Ｒは、１枚の正の屈折力を有するレンズ、または接合正レンズで構成され、
前記レンズ群Ｇ２Ｆは、物体側より順に両凹単レンズと両凸単レンズとの接合レンズで構成され、
前記レンズ群Ｇ２Ｒは、１枚の正レンズ、または接合正レンズで構成されていることを特徴とする広角レンズ。
【００８２】
（２）物体側より順に、第１レンズ群Ｇ１、絞り、及び第２レンズ群Ｇ２とからなり、
前記第１レンズ群Ｇ１は、物体側より順にレンズ群Ｇ１Ｆと、レンズ群Ｇ１Ｒとで構成され、
前記第２レンズ群Ｇ２は、物体側より順にレンズ群Ｇ２Ｆと、レンズ群Ｇ２Ｒとで構成され、
前記レンズ群Ｇ１Ｆは、複数の負の屈折力を有するレンズ、または接合負レンズで構成され、
前記レンズ群Ｇ１Ｒは、１枚の正の屈折力を有するレンズ、または接合正レンズで構成され、
前記レンズ群Ｇ２Ｆは、物体側より順に両凹単レンズと両凸単レンズとの接合レンズで構成され、
前記レンズ群Ｇ２Ｒは、１枚の正レンズ、または接合正レンズで構成され、
かつ、次の条件式を満足することを特徴とする広角レンズ。
０．４０＜φＧ２Ｒ／φ＜１．００              ・・・・・（１）
但し、φＧ２Ｒはレンズ群Ｇ２Ｒの屈折力、φは全系の屈折力を示す。
【００８３】
（３）物体側より順に、第１レンズ群Ｇ１、絞り、及び第２レンズ群Ｇ２とからなり、
前記第１レンズ群Ｇ１は、物体側より順にレンズ群Ｇ１Ｆと、レンズ群Ｇ１Ｒとで構成され、
前記第２レンズ群Ｇ２は、物体側より順にレンズ群Ｇ２Ｆと、レンズ群Ｇ２Ｒとで構成され、
前記レンズ群Ｇ１Ｆは、複数の負の屈折力を有するレンズ、または接合負レンズで構成され、
前記レンズ群Ｇ１Ｒは、１枚の正の屈折力を有するレンズ、または接合正レンズで構成され、
前記レンズ群Ｇ２Ｆは、物体側より順に両凹単レンズと両凸単レンズとの接合レンズで構成され、
前記レンズ群Ｇ２Ｒは、１枚の正レンズ、または接合正レンズで構成され、
かつ、次の条件式を満足することを特徴とする広角レンズ。
０＜ｆＧ１／ｆ＜６．２                        ・・・・・（２）
但し、ｆＧ１は第１レンズ群Ｇ１の焦点距離、ｆは全系の焦点距離を示す。
【００８４】
（４）物体側より順に、第１レンズ群Ｇ１、絞り、及び第２レンズ群Ｇ２とかなり、
前記第１レンズ群Ｇ１は、物体側より順にレンズ群Ｇ１Ｆと、レンズ群Ｇ１Ｒとで構成され、
前記第２レンズ群Ｇ２は、物体側より順にレンズ群Ｇ２Ｆと、レンズ群Ｇ２Ｒとで構成され、
前記レンズ群Ｇ１Ｆは、複数の負の屈折力を有するレンズ、または接合負レンズで構成され、
前記レンズ群Ｇ１Ｒは、１枚の正の屈折力を有するレンズ、または接合正レンズで構成され、
前記レンズ群Ｇ２Ｆは、物体側より順に両凹単レンズと両凸単レンズとの接合レンズで構成され、
前記レンズ群Ｇ２Ｒは、１枚の正レンズ、または接合正レンズで構成され、
かつ、次の条件式を満足することを特徴とする広角レンズ。
−０．８５＜φＧ１Ｆ／φ＜０                  ・・・・・（３）
０＜ｆＧ２／ｆ＜２．１                        ・・・・・（４）
但し、φＧ１Ｆはレンズ群Ｇ１Ｆの屈折力、φは全系の屈折力、ｆＧ２は第２レンズ群Ｇ２の焦点距離、ｆは全系の焦点距離を示す。
【００８５】
【発明の効果】
以上の説明から明らかなように、本発明によれば、長いバックフォーカスを得るとともに歪曲収差をはじめとする諸収差が良好に補正された広角レンズを提供することができる。
【図面の簡単な説明】
【図１】本発明による広角レンズの第１実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
【図２】図１（ａ）に示す本実施例の広角レンズの球面収差、非点収差、歪曲収差、倍率色収差、及びコマ収差を示す図である。
【図３】図１（ｂ）に示す本施例の広角レンズの球面収差、非点収差、歪曲収差、倍率色収差、及びコマ収差を示す図である。
【図４】図１（ｃ）に示す本施例の広角レンズの球面収差、非点収差、歪曲収差、倍率色収差、及びコマ収差を示す図である。
【図５】本発明による広角レンズの第２実施例のレンズ構成を示す光軸に沿う断面図である。
【図６】本発明による広角レンズの第３実施例のレンズ構成を示す光軸に沿う断面図である。
【図７】本発明による広角レンズの第４実施例のレンズ構成を示す光軸に沿う断面図である。
【図８】本発明による広角レンズの第５実施例のレンズ構成を示す光軸に沿う断面図である。
【図９】本発明による広角レンズの第６実施例のレンズ構成を示す光軸に沿う断面図である。
【図１０】本発明による広角レンズの第７実施例のレンズ構成を示す光軸に沿う断面図である。
【図１１】本発明による広角レンズの第８実施例のレンズ構成を示す光軸に沿う断面図である。
【図１２】本発明による広角レンズの第９実施例のレンズ構成を示す光軸に沿う断面図である。
【図１３】本発明による広角レンズの第１０実施例のレンズ構成を示す光軸に沿う断面図である。
【図１４】本発明による広角レンズの第１１実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
【図１５】本発明による広角レンズの第１２実施例のレンズ構成を示す光軸に沿う断面図である。
【図１６】本発明による広角レンズの第１３実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
【図１７】本発明による広角レンズの第１４実施例のレンズ構成を示す光軸に沿う断面図であり、（ａ）は物体距離が∞、（ｂ）は物体距離が２０ｃｍ、（ｃ）は物体距離が１０ｃｍの状態を示す図である。
【図１８】本発明による広角レンズの第１５実施例のレンズ構成を示す光軸に沿う断面図である。
【符号の説明】
Ｇ１              第１レンズ群
Ｇ１Ｒ，Ｇ１Ｆ    レンズ群
Ｇ２              第２レンズ群
Ｇ２Ｒ，Ｇ２Ｆ    レンズ群
Ｓ                絞り
【図１】
0004083924.tif 000047
【図２】
0004083924.tif 000048
【図３】
0004083924.tif 000049
【図４】
0004083924.tif 000050
【図５】
0004083924.tif 000051
【図６】
0004083924.tif 000052
【図７】
0004083924.tif 000053
【図８】
0004083924.tif 000054
【図９】
0004083924.tif 000055
【図１０】
0004083924.tif 000056
【図１１】
0004083924.tif 000057
【図１２】
0004083924.tif 000058
【図１３】
0004083924.tif 000059
【図１４】
0004083924.tif 000060
【図１５】
0004083924.tif 000061
【図１６】
0004083924.tif 000062
【図１７】
0004083924.tif 000063
【図１８】
0004083924.tif 000064